(57)【要約】【課題】部品点数を減らすことができ、組み付けが容易であり且つ組み付け時の位置決めを確実に行うことができるトリガー式スプレイヤー及びその製造方法を提供すること。【解決手段】容器１に螺合可能なキャップ部２と、該キャップ部２の中心に設けられたシリンダ部３と、該シリンダ部３に連続するカバー部４と、該カバー部４の先端に設けられたノズル部５ａと、シリンダ部３内を摺動するピストン部１１と、該ピストン部１１に枢着され且つバージンシール１３ａで固定されたトリガー１２と、ノズル部５ａに嵌合されピストン部１１内を流通した液体が吐出される流路部先端５ｂと、シリンダ部３内の液体の流路を開閉するＳバルブ２１と、該Ｓバルブ２１を上方に付勢するバネ部２２と、シリンダ部３にバネ部２２を固定する支持部２３と、を備え、ピストン部１１、トリガー１２及び流路部先端５ｂが一体となっているトリガー式スプレイヤー１００である。【選択図】図１
2013018514.tif 000002
【特許請求の範囲】
【請求項１】
容器に螺合可能なキャップ部と、
該キャップ部の中心に設けられたシリンダ部と、
該シリンダ部に連続するカバー部と、
該カバー部の先端に設けられたノズル部と、
前記シリンダ部内を摺動するピストン部と、
該ピストン部に枢着されカバー部に支承されたトリガーと、
該トリガーを弾発するトリガーバネと、
前記ノズル部に嵌合され前記ピストン部内を流通した液体が吐出される流路部先端と、
前記シリンダ部内の液体の流路を開閉するＳバルブと、
該Ｓバルブを上方に付勢するバネ部と、
前記シリンダ部に前記バネ部を固定する支持部と、
を備え、
前記ピストン部、前記トリガー、前記トリガーバネ及び前記流路部先端が一体となっているトリガー式スプレイヤー。
【請求項２】
前記キャップ部、前記シリンダ部、前記カバー部及び前記ノズル部が一体となっている請求項１記載のトリガー式スプレイヤー。
【請求項３】
前記Ｓバルブ、前記バネ部及び前記支持部が一体となっている請求項１又は２に記載のトリガー式スプレイヤー。
【請求項４】
前記トリガーを強制的に回動させることにより、ピストン部とトリガーとの間のバージンシールが切断される請求項１〜３のいずれか１項に記載のトリガー式スプレイヤー。
【請求項５】
前記トリガーの回動に連動して前記ピストン部が上下に摺動するようになっており、
該ピストン部の摺動に基づいて、前記シリンダ部内の液体が加圧され、蓄圧された該液体が前記流路部先端から外部に噴射されるようになっている請求項１〜４のいずれか１項に記載のトリガー式スプレイヤー。
【請求項６】
容器に螺合可能なキャップ部、該キャップ部の中心に設けられたシリンダ部、該シリンダ部に連続するカバー部及び該カバー部の先端に設けられたノズル部、が一体となった第１部材と、
前記シリンダ部内を摺動するピストン部、該ピストン部に枢着され且つバージンシールで一体とされたトリガーとトリガーバネ、及び前記ノズル部に嵌合され前記ピストン部内を流通した液体が吐出される流路部先端、が一体となった第２部材と、
前記シリンダ部内の液体の流路を開閉するＳバルブ、該Ｓバルブを上方に付勢するバネ部及び前記シリンダ部に前記バネ部を固定する支持部、が一体となった第３部材と、
を組み付けるトリガー式スプレイヤーの製造方法。
【発明の詳細な説明】
【技術分野】
【０００１】
本発明は、トリガー式スプレイヤー及びその製造方法に関し、より詳しくは、部品点数を減らすことができ、組み付けが容易であり且つ組み付け時の位置決めを確実に行うことができるトリガー式スプレイヤー、及びその製造方法に関する。
【背景技術】
【０００２】
容器に収容された液体を所望の位置に吹き付ける装置として従来からトリガー式スプレイヤーが知られている。
かかるトリガー式スプレイヤーは、トリガーを回動することによって、内蔵されたポンプの加圧、減圧による圧力変化を利用して液体を噴射させる装置であり、近年、蓄圧式のものも含めて多く開発されている。
【０００３】
例えば、先端にノズルを嵌合した射出筒に、吐出弁体、吐出弁座、吸込み弁等を配設した蓄圧式のトリガー式スプレイヤーが知られている（例えば、特許文献１参照）。
また、ピストンバルブと該ピストンバルブをピストン弁座に押圧するバネ体と、これらを収納するピストンカバーを備えることで、蓄圧機能を有する領域の容積が小さくできる等のメリットがある蓄圧式のディスペンサーが開発されている（例えば、特許文献２参照）。
【先行技術文献】
【特許文献】
【０００４】
【特許文献１】特開２００９−６２８８号公報
【特許文献２】特開２００９−１６０５７３号公報
【発明の概要】
【発明が解決しようとする課題】
【０００５】
しかしながら、上記特許文献１又は２に記載のトリガー式スプレイヤーを含む従来のトリガー式スプレイヤーは、いずれも部品点数が多く、その分、組み付け工数が増え、且つ組み付け自体も複雑となる。
特に、トリガーとピストン部との間で相互の位置がずれ易く位置決めが正確に行いにくい。
【０００６】
本発明は上記事情に鑑みてなされたものであり、部品点数を減らすことができ、組み付けが容易であり且つ組み付け時の位置決めを確実に行うことができるトリガー式スプレイヤー及びその製造方法を提供することを目的とする。
【課題を解決するための手段】
【０００７】
本発明者は、上記課題を解決するため鋭意検討したところ、少なくともピストン部とトリガーとを一体の構造とすることにより上記課題を解決し得ることを見出し、本発明を完成するに至った。
【０００８】
本発明は、（１）容器に螺合可能なキャップ部と、該キャップ部の中心に設けられたシリンダ部と、該シリンダ部に連続するカバー部と、該カバー部の先端に設けられたノズル部と、シリンダ部内を摺動するピストン部と、該ピストン部に枢着されカバー部に支承されたトリガーと、該トリガーを弾発するトリガーバネと、ノズル部に嵌合されピストン部内を流通した液体が吐出される流路部先端と、シリンダ部内の液体の流路を開閉するＳバルブと、該Ｓバルブを上方に付勢するバネ部と、シリンダ部にバネ部を固定する支持部と、を備え、ピストン部、トリガー、トリガーバネ、及び流路部先端が一体となっているトリガー式スプレイヤーに存する。
【０００９】
本発明は、（２）キャップ部、シリンダ部、カバー部及びノズル部が一体となっている上記（１）記載のトリガー式スプレイヤーに存する。
【００１０】
本発明は、（３）Ｓバルブ、バネ部及び支持部が一体となっている上記（１）又は（２）に記載のトリガー式スプレイヤーに存する。
【００１１】
本発明は、（４）トリガーを強制的に回動させることにより、ピストン部とトリガーとの間のバージンシールが切断される上記（１）〜（３）のいずれか１つに記載のトリガー式スプレイヤーに存する。
【００１２】
本発明は、（５）トリガーの回動に連動してピストン部が上下に摺動するようになっており、該ピストン部の摺動に基づいて、シリンダ部内の液体が加圧され、蓄圧された該液体が流路部先端から外部に噴射されるようになっている上記（１）〜（４）のいずれか１つに記載のトリガー式スプレイヤーに存する。
【００１３】
本発明は、（６）容器に螺合可能なキャップ部、該キャップ部の中心に設けられたシリンダ部、該シリンダ部に連続するカバー部及び該カバー部の先端に設けられたノズル部、が一体となった第１部材と、シリンダ部内を摺動するピストン部、該ピストン部に枢着され且つバージンシールで一体とされたトリガーとトリガーバネ、及びノズル部に嵌合されピストン部内を流通した液体が吐出される流路部先端、が一体となった第２部材と、シリンダ部内の液体の流路を開閉するＳバルブ、該Ｓバルブを上方に付勢するバネ部及びシリンダ部にバネ部を固定する支持部、が一体となった第３部材と、を組み付けるトリガー式スプレイヤーの製造方法に存する。
【発明の効果】
【００１４】
本発明のトリガー式スプレイヤーは、少なくとも、ピストン部、トリガー、トリガーバネ、及び流路部先端が一体となっているので、部品点数を減らすことができ、全体の組み付けが容易となる。
また、組み付け時においては、トリガーの位置が決められると同時に、ピストン部の位置が決められる。
そのため、ピストン部の位置決めを確実に行うことができる。
【００１５】
本発明のトリガー式スプレイヤーにおいては、キャップ部、シリンダ部、カバー部及びノズル部を一体とし、並びに／又は、Ｓバルブ、バネ部及び支持部を一体とすることにより、更に大きく部品点数を減らすことができる。
このため、全体の組み付けがより容易となる。
【００１６】
本発明のトリガー式スプレイヤーにおいては、トリガーを最初に強制的に回動させることにより、ピストン部とトリガーとの間のバージンシールが切断される構造であると、組み付け時にはトリガーとピストン部とを一体として組み付けることができ、使用時にはピストン部に対してトリガーを回動させることが可能となる。
【００１７】
本発明のトリガー式スプレイヤーにおいては、トリガーの回動に連動してピストン部が上下に摺動するようになっており、該ピストン部の摺動に基づいて、シリンダ部内の液体が加圧され、蓄圧された該液体が流路部を介して流路部先端から外部に噴射されるようになっている場合、簡単な構造でありながら、確実に一定量の液体を噴射することが可能となる。
【図面の簡単な説明】
【００１８】
【図１】図１の（ａ）は、本発明に係るトリガー式スプレイヤーの一実施形態を示す側面図であり、図１の（ｂ）は、（ａ）の正面図である。
【図２】図２は、本実施形態に係るトリガー式スプレイヤーを示す部分断面図である。
【図３】図３は、本実施形態に係るトリガー式スプレイヤーのトリガーを引いた状態を示す部分断面図である。
【図４】図４は、本実施形態に係るトリガー式スプレイヤーにおける第１部材を示す部分断面図である。
【図５】図５の（ａ）は、本実施形態に係るトリガー式スプレイヤーにおける第２部材を示す側面図であり、図５の（ｂ）は、（ａ）の上面図である。
【図６】図６は、図５の（ｂ）におけるＸ−Ｘ線で切断した部分断面図である。
【図７】図７の（ａ）は、本実施形態に係るトリガー式スプレイヤーにおける第３部材を示す側面図であり、図７の（ｂ）は、（ａ）の断面図である。
【図８】図８の（ａ）は、本実施形態に係るトリガー式スプレイヤーにおけるＦバルブを示す側面図であり、図８の（ｂ）は、（ａ）の上面図である。
【発明を実施するための形態】
【００１９】
以下、必要に応じて図面を参照しつつ、本発明の好適な実施形態について詳細に説明する。
なお、図面中、同一要素には同一符号を付すこととし、重複する説明は省略する。
また、上下左右等の位置関係は、特に断らない限り、図面に示す位置関係に基づくものとする。
更に、図面の寸法比率は図示の比率に限られるものではない。
【００２０】
図１の（ａ）は、本発明に係るトリガー式スプレイヤーの一実施形態を示す側面図であり、（ｂ）は、（ａ）の正面図である。
図１の（ａ）及び（ｂ）に示す本実施形態に係るトリガー式スプレイヤー１００は、容器１に収容された液体を、トリガー１２を引くことによって、所望の位置に吹き付ける吹き付け装置として用いられる。
かかるトリガー式スプレイヤー１００においては、内蔵されたポンプの圧縮、膨張による圧力変化に基づいて、液体が噴射される。
【００２１】
図２は、本実施形態に係るトリガー式スプレイヤーを示す部分断面図である。
図２に示すように、トリガー式スプレイヤー１００は、容器１に螺合可能なキャップ部２と、該キャップ部２の中心に設けられたシリンダ部３と、該シリンダ部３に連続するカバー部４と、該カバー部４の先端に設けられたノズル部５ａと、シリンダ部３内を摺動するピストン部１１と、該ピストン部１１に枢着されカバー部に支承されたトリガー１２と、該トリガー１２を弾発するトリガーバネ１２ａと、ノズル部５ａに嵌合されピストン部１１内を流通した液体が吐出される流路部先端５ｂと、ピストン部１１内の液体の流路を開閉するＳバルブ２１と、Ｓバルブ２１を上方に付勢するバネ部２２と、シリンダ部３にバネ部２２を固定する支持部２３と、シリンダ部３内の液体の流路を開閉するＦバルブ２４と、を備える。
【００２２】
図３は、本実施形態に係るトリガー式スプレイヤーのトリガーを引いた状態を示す部分断面図である。
図３に示すように、本実施形態に係るトリガー式スプレイヤー１００は、いわゆる蓄圧式であり、トリガー１２を引いて回動させると、トリガー１２の回動に連動してシリンダ部３内のピストン部１１が下方に摺動し、該ピストン部１１の摺動に基づいて、シリンダ部３内の液体が加圧される。
そして、蓄圧された液体は、ピストン部１１の内部を流通して流路部先端５ｂから外部に噴射されるようになっている。
【００２３】
また、液体の噴射後、トリガー１２を開放すると、トリガー１２に接続されたトリガーバネ１２ａの復帰力によって、トリガー１２が元の位置に戻ると共に、ピストン部１１がシリンダ部３内を上方に摺動し、ピストン部１１が引き上げられる。
そうすると、シリンダ部３内の空間が負圧となるので、負圧を解消するために容器１内の液体が吸上げられ、シリンダ部１１内に液体が充填されることになる。
【００２４】
トリガー式スプレイヤー１００においては、このような操作が繰り返されることにより、一定量の液体が、ノズル部５ａから繰り返して噴射されることになる。
このように、上記トリガー式スプレイヤー１００は、簡単な構造でありながら、確実に一定量の液体を噴射することが可能となっている。
【００２５】
ここで、本実施形態に係るトリガー式スプレイヤー１００においては、キャップ部２、シリンダ部３、カバー部４及びノズル部５ａが一体となっており、更にピストン部１１、トリガー１２及び流路部先端５ｂが一体となっており、また更にＳバルブ２１、バネ部２２及び支持部２３が一体となっている。
すなわち、トリガー式スプレイヤー１００は、キャップ部２、シリンダ部３、カバー部４及びノズル部５ａが一体となった第１部材と、ピストン部１１、トリガー１２及び流路部先端５ｂが一体となった第２部材と、Ｓバルブ２１、バネ部２２及び支持部２３が一体となった第３部材と、Ｆバルブ２４とからなる。
このように、トリガー式スプレイヤー１００は、単に４つの部品から構成されているので、組み付け工数が少なくてすむ。
【００２６】
図４は、本実施形態に係るトリガー式スプレイヤーにおける第１部材を示す部分断面図である。
図４に示すように、第１部材１０１は、キャップ部２、シリンダ部３、カバー部４及びノズル部５ａが一体となっている。
【００２７】
キャップ部２は、図示しない容器の口部に螺合可能となっている。
したがって、トリガー式スプレイヤー１００は、キャップ部２を介して、市販の容器に対して着脱可能となっている。
【００２８】
シリンダ部３は、キャップ部２の中央に内設された円筒状の基部３ａと、該基部３ａから上方に向かって連続して形成された上部３ｂと、基部３ａから下方に向かって連続して形成された円筒状の下部３ｃと、該下部３ｃから下方に延びる導入部３ｄ（図１参照）とからなる。
なお、基部３ａは、下部３ｃよりも径が大きくなった円筒状となっている。
また、基部３ａの内部にはピストン部１１及び第３部材が収容され、上部３ｂの内部にはトリガー１２が収容されるようになっている。
【００２９】
シリンダ部３の上部３ｂにおいて、後端部４ｂにはカバー部４が枢着されており、前端部４ａにはノズル部５ａが枢着されている。
すなわち、シリンダ部３にノズル部５ａとカバー部４がヒンジ結合されている。
したがって、カバー部４及びノズル部５ａを回動させることにより組み付けが容易に行える。
またノズル部５ａには、流路部先端５ｂから噴射される液体を、例えば、泡状にするフラップ５ｃが設けられている。
【００３０】
シリンダ部３のチューブ状の導入部３ｄは、図示しない容器１内に延びており、容器１内の液体中に浸漬される。
トリガー式スプレイヤー１００においては、容器１内の液体はこの導入部３ｄを介して吸い上げられシリンダ部３内に流入されることになる。
【００３１】
図５の（ａ）は、本実施形態に係るトリガー式スプレイヤーにおける第２部材を示す側面図であり、（ｂ）は、（ａ）の上面図である。
図５の（ａ）に示すように、第２部材１０２は、ピストン部１１、トリガー１２、トリガーバネ１２ａ、及び流路部先端５ｂが一体となっている。
【００３２】
ピストン部１１は、シリンダ３の基部３ａ内を摺動する本体部１１ａと、該本体部１１ａに連続しシリンダ３内の液体が流通する流路部１１ｂとからなる。
なお、本体部１１の内部には後述する第３部材が収容されるようになっている。
【００３３】
トリガー１２は、図５の（ｂ）に示すように、このピストン部１１の流路部１１ｂを挟持するように配置されており、枢着部１３を介して流路部１１ｂに取り付けられている。
【００３４】
図６は、図５の（ｂ）におけるＸ−Ｘ線で切断した部分断面図である。
図６に示すように、トリガー１２は、ピストン部１１の流路部１１ｂの枢着部１３に枢着され且つバージンシール１３ａで流路部１１ｂに固定されている。
すなわち、トリガー１２と流路部１１ｂ（ピストン部１１）とは枢着されているもののバージンシール１３ａで両者が固定されているので、この状態ではトリガー１２はフリーではピストン部１１に対して当然回動しない。
なお、バージンシール１３ａは、薄膜で円周方向に設けられていることが好ましい。
【００３５】
このように、トリガー式スプレイヤー１００においては、バージンシール１３ａでトリガー１２とピストン部１１とが固定されているので、第２部材の組み付け時には、トリガー１２の位置が決められると同時に、ピストン部１１の位置が決められる。
そのため、このピストン部１１の位置決めを確実に行うことが可能となる。
【００３６】
また、バージンシール１３ａは、トリガー１２をピストン部１１に対して強制的に回動させることにより、切断されるようになっている。
このため、トリガー１２を最初に手前に引き、バージンシール１３ａを切断することにより、トリガー１２はピストン部１１に対してフリーに回動可能となる。
【００３７】
したがって、本実施形態に係るトリガー式スプレイヤー１００によれば、組み付け時にはトリガー１２とピストン部１１とを一体として組み付けることができ、使用時にはピストン部１１に対してトリガー１２を回動させることが可能となる。
【００３８】
流路部先端５ｂは、矢印Ａ方向に屈曲させて組み付けられる（図２及び図５参照）。そして、流路部先端５ｂは、ノズル部５ａに嵌合され固定されるようになっている。
【００３９】
図７の（ａ）は、本実施形態に係るトリガー式スプレイヤーにおける第３部材を示す側面図であり、（ｂ）は、（ａ）の断面図である。
図７の（ａ）及び（ｂ）に示すように、第３部材１０３は、Ｓバルブ２１、バネ部２２及び支持部２３が一体となっている。
【００４０】
第３部材１０３は、ピストン部１１の内部に配置される（図２参照）。
このとき、支持部２３は、ピストン部１１の下端部１１ｄに固定されるようになっており、Ｓバルブ２１は、ピストン部１１内の弁座１１ｃに当接されるようになっている。
そして、バネ部２２は、伸縮可能となっており、Ｓバルブ２１は、バネ部２２による一定のバネ力により、弁座１１ｃに付勢されるようになっている。
【００４１】
このように、第３部材１０３は、ピストン部１１内の液体の、流路を塞ぐ弁の働きをする。
すなわち、ピストン部１１内の液体に一定の圧力が蓄圧されると、弁が開いて液体が流通すると共に圧力が放圧され、一定の圧力となると、再び弁が閉じる構造となっている。
これにより、トリガー式スプレイヤー１００においては、第３部材１０３によって液体の流通が確実に遮断されるので、液垂れを防止することができる。
【００４２】
Ｓバルブ２１は、図７の（ｂ）に示すように、内部が中空となっている。
これにより、Ｓバルブ２１の軽量化が図られ、バネ部２２への負担も小さくなる。
【００４３】
トリガー式スプレイヤー１００において、Ｆバルブ２４は、シリンダ部３内の液体の流路を開閉する弁の働きをする。
図８の（ａ）は、本実施形態に係るトリガー式スプレイヤーにおけるＦバルブを示す側面図であり、（ｂ）は、（ａ）の上面図である。
図８の（ａ）及び（ｂ）に示すように、Ｆバルブ２４は、水平断面が十字状となっているので、流通する液体の流通方向が調整される。
【００４４】
本実施形態に係るトリガー式スプレイヤー１００において、上述した第１部材１０１、第２部材１０２、第３部材１０３及びＦバルブ２４の材質は、いずれも合成樹脂であり、主として射出成形により製造される。
【００４５】
以上のことから、本実施形態に係るトリガー式スプレイヤー１００は、第１部材１０１、第２部材１０２、第３部材１０３及びＦバルブ２４からなるので、従来のトリガー式スプレイヤーよりも大きく部品点数を減らすことができ、組み付けが極めて容易となる。
【００４６】
次に、本実施形態に係るトリガー式スプレイヤー１００の組み付けによる製造方法について説明する。
本実施形態に係るトリガー式スプレイヤー１００は、第１部材１０１、第２部材１０２、第３部材１０３及びＦバルブ２４を組み付けることによって製造することができる。
すなわち、まず、第１部材１０１のシリンダ部３にＦバルブ２４及び第３部材１０３を挿入し、次に第２部材１０２の下端部１１ｄから第３部材を圧入する。
そして第２部材１０２のピストン部１１を第１部材１０１のシリンダ部３に圧入する。
そして、流路部先端５ｂを屈曲させ、流路部先端５ｂにノズル部５ａを嵌合させることにより、流路部先端５ｂを固定し、カバー部４を閉じることにより、図１の（ａ）及び（ｂ）に示すトリガー式スプレイヤー１００が得られる。
【００４７】
以上、本発明の好適な実施形態について説明したが、本発明は上記実施形態に限定されるものではない。
【００４８】
本実施形態に係るトリガー式スプレイヤー１００においては、第１部材１０１と、第２部材１０２と、第３部材１０３とを備えているが、少なくとも第２部材１０２を備えていれば、部品点数を減らすことができ、組み付けが容易であり且つ組み付け時の位置決めを確実に行えるという利点を奏することができる。
したがって、第１部材１０１におけるキャップ部２、シリンダ部３、カバー部４及びノズル部５ａは別体であってもよく、第３部材１０３におけるＳバルブ２１、バネ部２２及び支持部２３が別体であってもよい。
【００４９】
また上述した実施形態ではストッパー１２ｂがトリガー１２とヒンジを介して一体化したものを採用しているが、ストッパー１２ｂはシリンダ部側にヒンジを介して一体とすることも可能である。
【００５０】
本実施形態に係るトリガー式スプレイヤー１００において、バージンシール１３ａは、薄膜であり円周方向に設けられているが、円周方向に部分的に設けられていてもよい。
【００５１】
本実施形態に係るトリガー式スプレイヤー１００において、バネ部２２は、蛇状となっているが、コイル状、板状、バネ座金状等であってもよい。
【産業上の利用可能性】
【００５２】
本発明のトリガー式スプレイヤーは、トリガーを引くことにより、容器内の液を噴射する装置として好適に用いられる。
本発明のトリガー式スプレイヤーによれば、部品点数を減らすことができ、組み付けが容易であり且つ組み付け時の位置決めを確実に行うことができる。
【符号の説明】
【００５３】
１・・・容器
２・・・キャップ部
３・・・シリンダ部
３ａ・・・基部
３ｂ・・・上部
３ｃ・・・下部
３ｄ・・・導入部
４・・・カバー部
４ａ・・・前端部
４ｂ・・・後端部
５ａ・・・ノズル部
５ｂ・・・流路部先端
５ｃ・・・フラップ
１１・・・ピストン部
１１ａ・・・本体部
１１ｂ・・・流路部
１１ｃ・・・弁座
１１ｄ・・・下端部
１２・・・トリガー
１２ａ・・・トリガーバネ
１３・・・枢着部
１３ａ・・・バージンシール
２１・・・Ｓバルブ
２２・・・バネ部
２３・・・支持部
２４・・・Ｆバルブ
１００・・・トリガー式スプレイヤー
１０１・・・第１部材
１０２・・・第２部材
１０３・・・第３部材
【図１】
2013018514.tif 000003
【図２】
2013018514.tif 000004
【図３】
2013018514.tif 000005
【図４】
2013018514.tif 000006
【図５】
2013018514.tif 000007
【図６】
2013018514.tif 000008
【図７】
2013018514.tif 000009
【図８】
2013018514.tif 000010